(57)【要約】【課題】包装コストの上昇を招くことなく、輸送・運搬中に生ずる保証書の剥がれや破れを防止する。【解決手段】包装箱組立て用シート部材は、第１の側壁２１、第２の側壁２２、第１の側壁と同じ幅の第３の側壁２３、第２の側壁と同じ幅の第４の側壁２４、継ぎしろ２５が直線状に連続して設けられ、それらの各側壁の一側に上フラップ２６〜２９が、他側に下フラップ３０〜３３がそれぞれ形成され、折り曲げて組み立てられることにより製品包装箱が形成されている。そして、外フラップとなる第４の側壁の上フラップ２９に、組み立てて製品包装箱としたとき、第１の側壁の上フラップ２６側の縁部の保証書貼付位置３４を被うこととなる舌片３７が突出して形成されている。【選択図】図１
2009073548.tif 000002
【特許請求の範囲】
【請求項１】
第１の側壁、第２の側壁、前記第１の側壁と同じ幅の第３の側壁、前記第２の側壁と同じ幅の第４の側壁、継ぎしろが直線状に連続して設けられ、それらの各側壁の一側に上フラップが、他側に下フラップがそれぞれ形成され、折り曲げて組み立てられることにより製品包装箱が形成される包装箱組立て用シート部材において、
外フラップとなる前記第４の側壁の上フラップに、組み立てて製品包装箱としたとき前記第１の側壁の上フラップ側の縁部の保証書貼付位置を被うこととなる舌片が突出して形成されていることを特徴とする包装箱組立て用シート部材。
【請求項２】
前記舌片の突出幅が、前記継ぎしろの幅以下とされていることを特徴とする、請求項１に記載の包装箱組立て用シート部材。
【請求項３】
前記第１の側壁には差込み孔が形成され、前記舌片にはその差込み孔に差し込む差込み部が形成されていることを特徴とする、請求項１または２に記載の包装箱組立て用シート部材。
【請求項４】
前記差込み孔が、前記保証書貼付位置を挟むように形成されていることを特徴とする、請求項３に記載の包装箱組立て用シート部材。
【請求項５】
組み立てて製品包装箱としたとき外面となる前記舌片の面に、保証書が添付されている旨の表示がなされていることを特徴とする、請求項１ないし４のいずれか１に記載の包装箱組立て用シート部材。
【請求項６】
前記舌片と前記第４の側壁の上フラップとの間の両端に、前記舌片の切り取りを容易とする切込みが設けられていることを特徴とする、請求項１ないし５のいずれか１に記載の包装箱組立て用シート部材。
【請求項７】
前記舌片と前記第４の側壁の上フラップとの間にミシン目が形成されていることを特徴とする、請求項１ないし６のいずれか１に記載の包装箱組立て用シート部材。
【請求項８】
前記舌片の先端には、切込み凹部が形成されていることを特徴とする、請求項１ないし７のいずれか１に記載の包装箱組立て用シート部材。
【請求項９】
請求項１ないし８のいずれか１に記載の包装箱組立て用シート部材を折り曲げて組み立てることにより形成されてなることを特徴とする製品包装箱。
【発明の詳細な説明】
【技術分野】
【０００１】
この発明は、例えばコピー、プリンタ、ファクシミリなどの製品を梱包する際に用いられる製品包装箱に関する。および、折り曲げて組み立て、その製品包装箱を形成するための包装箱組立て用シート部材に関する。
【背景技術】
【０００２】
従来、包装箱組立て用シート部材は、段ボールを用いて、図５に示すように、第１の側壁１、第２の側壁２、第１の側壁１と同じ幅の第３の側壁３、第２の側壁２と同じ幅の第４の側壁４、継ぎしろ５が直線状に連続して設けられ、それらの各側壁の一側に上フラップ６〜９が、他側に下フラップ１０〜１３がそれぞれ形成されていた。
【０００３】
そして、各側壁１〜４間の境界の折り曲げ線に沿って折り曲げて継ぎしろ５が第１の側壁１の端縁に取り付けられて後、周知のごとく各側壁１〜４と下フラップ１０〜１３間の境界の折り曲げ線に沿って折り曲げて、例えば下フラップ１０〜１３が順次互い違いに重ね合わされることにより組み付けられて低壁が形成されていた。
【０００４】
その後、図６に示すように上から製品１４を入れるとともに、図７に示すように保証書１５の端に貼り付けられた粘着剤付きの剥離紙を剥がして第１の側壁１の上フラップ６側の縁部の保証書貼付位置に保証書１５の端１６を貼り付け、各側壁１〜４と上フラップ６〜９間の境界の折り曲げ線に沿って折り曲げて、内フラップである上フラップ６、８の上に、外フラップである上フラップ７、９を折り重ね、保証書１５を上フラップ６上に載せて上フラップ９との間で挟むようにして組み立てられていた。
【０００５】
【特許文献１】特開２０００−６２７６１号公報
【発明の開示】
【発明が解決しようとする課題】
【０００６】
しかしながら、上述した従来の製品包装箱では、輸送・運搬中に他の製品包装箱と擦れて保証書１５の端１６が剥がれたり、破れたりする問題があった。この対策として、保証書１５の上に保護テープを貼り付けるものもあったが、包装コストの上昇を招くという問題がある。
【０００７】
そこで、この発明の第１の目的は、包装コストの上昇を招くことなく、輸送・運搬中に生ずる保証書の剥がれや破れを防止することにある。
【０００８】
この発明の第２の目的は、材料費アップによる包装コストの上昇を招くことなく、輸送・運搬中に生ずる保証書の剥がれや破れを防止することにある。
【０００９】
この発明の第３の目的は、より確実に輸送・運搬中に生ずる保証書の剥がれや破れを防止することにある。
【００１０】
この発明の第４の目的は、所定の保証書貼付位置がすぐに判るようにして製品包装箱の組立作業を容易とすることにある。
【００１１】
この発明の第５の目的は、製品の保証書が添付されていることを一目で判るようにすることにある。
【００１２】
この発明の第６の目的は、保証書貼付位置を被う舌片が不必要となったときの舌片の除去を容易とすることにある。
【００１３】
この発明の第７の目的は、保証書貼付位置を被う舌片を綺麗に折り曲げ、またその除去を可能とすることにある。
【００１４】
この発明の第８の目的は、保証書貼付位置を被っている舌片を容易に引き起こすことができるようにすることにある。
【課題を解決するための手段】
【００１５】
この発明の第１の態様は、上述した第１の目的を達成すべく、第１の側壁、第２の側壁、第１の側壁と同じ幅の第３の側壁、第２の側壁と同じ幅の第４の側壁、継ぎしろが直線状に連続して設けられ、それらの各側壁の一側に上フラップが、他側に下フラップがそれぞれ形成され、折り曲げて組み立てられることにより製品包装箱が形成される包装箱組立て用シート部材において、
外フラップとなる第４の側壁の上フラップに、組み立てて製品包装箱としたとき第１の側壁の上フラップ側の縁部の保証書貼付位置を被うこととなる舌片が突出して形成されていることを特徴とする。
【００１６】
ここで、上述した第２の目的を達成すべく、舌片の突出幅は、継ぎしろの幅以下とされているとよい。また、上述した第３の目的を達成すべく、第１の側壁には差込み孔が形成され、舌片にはその差込み孔に差し込む差込み部が形成されているとよく、上述した第４の目的を達成すべく、差込み孔は、保証書貼付位置を挟むように形成されているとよい。
【００１７】
上述した第５の目的を達成すべく、舌片は、組み立てて製品包装箱としたとき外面となる面に、保証書が添付されている旨の表示がなされているとよい。また、上述した第６の目的を達成すべく、第４の側壁の上フラップとの間の両端に、切り取りを容易とする切込みが設けられているとよい。さらに、上述した第７の目的を達成すべく、第４の側壁の上フラップとの間にミシン目が形成されているとよい。またさらに、上述した第８の目的を達成すべく、先端には、切込み凹部が形成されているとよい。
【００１８】
この発明の第２の態様に係る製品包装箱は、上述した第１の目的を達成すべく、上記第１の態様の包装箱組立て用シート部材を折り曲げて組み立てることにより形成されてなることを特徴とする。
【発明の効果】
【００１９】
この発明の第１の態様によれば、包装箱組立て用シート部材において、外フラップとなる第４の側壁の上フラップに、組み立てて製品包装箱としたとき第１の側壁の上フラップ側の縁部の保証書貼付位置を被うこととなる舌片が突出して形成されているので、保護テープ等の部材を別途必要とせずに、包装コストの上昇を招くことなく、舌片により保証書貼付位置を被って保証書を保護し、輸送・運搬中に生ずる保証書の剥がれや破れを防止することができる。
【００２０】
舌片の突出幅が、継ぎしろの幅以下とされていると、包装箱組立て用シート部材の外形状を大きくせずに、材料費アップによる包装コストの上昇を招くことなく、輸送・運搬中に生ずる保証書の剥がれや破れを防止することができる。
【００２１】
第１の側壁には差込み孔が形成され、舌片にはその差込み孔に差し込む差込み部が形成されていると、テープ等で舌片を固定することなく、舌片の差込み部を第１の側壁の差込み孔に差し込んで、保証書貼付位置を被う舌片をしっかりと固定し、より確実に輸送・運搬中に生ずる保証書の剥がれや破れを防止することができる。
【００２２】
差込み孔が、保証書貼付位置を挟むように形成されていると、差込み孔から所定の保証書貼付位置がすぐに判るようにして保証書の貼り付けを簡単かつ正確とし、製品包装箱の組立作業を容易とすることができる。
【００２３】
舌片が、組み立てて製品包装箱としたとき外面となる面に、保証書が添付されている旨の表示がなされていると、その表示を見ることで、製品の保証書が添付されていることを一目で判るようにすることができる。
【００２４】
舌片と第４の側壁の上フラップとの間の両端に、切り取りを容易とする切込みが設けられていると、舌片が不必要となったときの舌片の除去を容易とすることができる。また、舌片と第４の側壁の上フラップとの間にミシン目が形成されていると、そのミシン目位置で舌片を綺麗に折り曲げ、またその舌片の除去を可能とすることができる。さらに、舌片の先端に切込み凹部が形成されていると、保証書貼付位置を被っている舌片を容易に引き起こすことができる。
【００２５】
この発明の第２の態様によれば、製品包装箱において、上記第１の態様の包装箱組立て用シート部材を折り曲げて組み立てることにより形成されてなるので、保護テープ等の部材を別途必要とせずに、包装コストの上昇を招くことなく、舌片により保証書貼付位置を被って保証書を保護し、輸送・運搬中に生ずる保証書の剥がれや破れを防止することができる。
【発明を実施するための最良の形態】
【００２６】
以下、図面を参照しつつ、この発明の実施の最良形態につき説明する。
図１には、この発明に係る包装箱組立て用シート部材を示す。
【００２７】
包装箱組立て用シート部材は、段ボールを用いて、第１の側壁２１、第２の側壁２２、第１の側壁２１と同じ幅ａの第３の側壁２３、第２の側壁２２と同じ幅ｂの第４の側壁２４、短い幅ｃの継ぎしろ２５が直線状に連続して設けられ、それらの各側壁の一側に上フラップ２６〜２９が、他側に下フラップ３０〜３３がそれぞれ形成されている。
【００２８】
第１の側壁２１の上フラップ２６側の縁部には、図示包装箱組立て用シート部材を折り曲げて組み立てることにより製品包装箱が形成されたとき、後述する製品の保証書４３を貼付することとなる保証書貼付位置３４を挟むように、２つのスリット状の差込み孔３５、３６がｄの間隔をあけて平行に形成されている。
【００２９】
一方、外フラップとなる第４の側壁２４の上フラップ２９には、組み立てて製品包装箱としたとき、保証書貼付位置３４を被うこととなる舌片３７が突出して形成されている。この舌片３７の突出幅ｅは、継ぎしろ２５の幅ｃ以下とされている。これにより、包装箱組立て用シート部材の外形状を大きくせずに、材料費アップによる包装コストの上昇を招くことなく、輸送・運搬中に生ずる保証書４３の剥がれや破れを防止することができる。
【００３０】
図２には、図１に示す包装箱組立て用シート部材の舌片３７部分を拡大して示す。
図示するとおり、舌片３７と第４の側壁２４の上フラップ２９との間の両端は、舌片３７が斜めに切り落とされて、そこに舌片３７の切り取りを容易とする切込み３８、３８が設けられ、舌片３７に差込み部３９、３９が形成されている。切込み３８、３８が設けられていると、保証書４３を取り出して後、舌片３７が不必要となったときの舌片３７の除去を容易とすることができる。
【００３１】
また、２つの切込み３８、３８間の、舌片３７と第４の側壁２４の上フラップ２９との間には、ミシン目４０が形成されている。すると、そのミシン目４０位置で舌片３７を綺麗に折り曲げ、またその舌片３７の除去を可能とすることができる。
【００３２】
そして、各側壁２１〜２４間の境界の折り曲げ線に沿って折り曲げて継ぎしろ２５が第１の側壁２１の端縁に取り付けられて後、各側壁２１〜２４と下フラップ３０〜３３間の境界の折り曲げ線に沿って折り曲げて、例えば下フラップ３０〜３３が順次互い違いに重ね合わされることにより組み付けられて低壁が形成される。
【００３３】
図３には、そのようにして組み立てて形成した製品包装箱内に上から製品４２を入れた状態を示す。
図示するように、製品包装箱内に製品４２を入れて後、保証書４３の端に貼り付けられた粘着剤付きの剥離紙を剥がして保証書貼付位置３４に保証書４３の端４４が貼り付けられる。このとき、差込み孔３５、３６が、保証書貼付位置３４を挟むように形成されているので、差込み孔３５、３６から、所定の保証書貼付位置３４がすぐに判るようにして保証書４３の貼り付けを簡単かつ正確とし、製品包装箱の組立作業を容易とすることができる。
【００３４】
それから、各側壁２１〜２４と上フラップ２６〜２９間の境界の折り曲げ線に沿って折り曲げて、内フラップである上フラップ２６、２８の上に、外フラップである上フラップ２７、２９を折り重ね、保証書４３を上フラップ２６上に載せて上フラップ２９との間で挟むようにして組み立てられ、上フラップ２７、２９が不図示のテープで第１の側壁２１、第２の側壁２３に止められる。
【００３５】
図４には、組立てを完了した製品包装箱を第１の側壁２１側から見て示す。
最後に、舌片３７をミシン目４０で折って両側の差込み部３９、３９が第１の側壁２１の差込み孔３５、３６に差し込まれる。これにより、テープ等で舌片３７を固定することなく、舌片３７の差込み部３９、３９を差込み孔３５、３６に差し込んで、保証書貼付位置３４を被う舌片３７をしっかりと固定し、より確実に輸送・運搬中に生ずる保証書４３の剥がれや破れを防止することができる。
【００３６】
このように、組み立てて製品包装箱としたとき、外面となる舌片３７の面には、保証書４３が添付されている旨の表示４５が、例えば「保証書在中」のようになされているとよい。このようにすると、表示４５を見ることで、製品４２の保証書４３が添付されていることを一目で判るようにすることができる。なお、２つの差込み孔３５、３６の間隔ｄは、保証書４３の端４４の幅ｆよりもやや大きく形成されている。
【００３７】
販売店等で保証書４３を取り出す際は、舌片３７を引き起こすが、その引き起こしを容易とすべく舌片３７の先端には、図２や図４に示すように、切込み凹部４６が形成されているとよい。
【００３８】
ところで、舌片３７の形状は、もちろん図示例に限定されるものではなく、舌片３７の差込み部３９、３９、切込み３８、切込み凹部４６の数や形状、および第１の側壁２１の差込み孔３５、３６の数や位置や形状は、上述した例に限定されるものではない。
【図面の簡単な説明】
【００３９】
【図１】この発明に係る包装箱組立て用シート部材の平面図である。
【図２】図１に示す包装箱組立て用シート部材の舌片部分の拡大図である。
【図３】図１に示す包装箱組立て用シート部材を用いて形成された製品包装箱内に上から製品を入れた状態を示す斜視図である。
【図４】組立てを完了した製品包装箱を第１の側壁側から見て示す側面図である。
【図５】従来の包装箱組立て用シート部材の平面図である。
【図６】図５に示す従来の包装箱組立て用シート部材を用いて形成された製品包装箱内に上から製品を入れる状態を示す斜視図である。
【図７】製品を入れた状態を示す斜視図である。
【符号の説明】
【００４０】
２１    第１の側壁
２２    第２の側壁
２３    第３の側壁
２４    第４の側壁
２５    継ぎしろ
２６〜２９    上フラップ
３０〜３３    下フラップ
３４    保証書貼付位置
３５、３６    差込み孔
３７    舌片
３８    切込み
３９    差込み部
４０    ミシン目
４２    製品
４３    保証書
４４    保証書の端
４５    表示
４６    切込み凹部
ａ      第１の側壁と第３の側壁の幅
ｂ      第２の側壁と第４の側壁の幅
ｃ      継ぎしろの幅
ｄ      ２つの差込み孔間の間隔
ｅ      舌片の突出幅
ｆ      保証書の端の幅
【図１】
2009073548.tif 000003
【図２】
2009073548.tif 000004
【図３】
2009073548.tif 000005
【図４】
2009073548.tif 000006
【図５】
2009073548.tif 000007
【図６】
2009073548.tif 000008
【図７】
2009073548.tif 000009